(57)【特許請求の範囲】
【請求項１】
ロックボルト又はロックナットの六角部に被嵌する有蓋筒状のボルト・ナットカバーであって、
蓋部と、
前記六角部に嵌合する筒状の嵌合部とを備え、
前記嵌合部は、内面に前記嵌合部の中心軸を挟んで対向する少なくとも一対の側辺挟持用凸部を有し、
前記嵌合部の内面は、前記中心軸に垂直な断面が六角形をなし、
前記一対の側辺挟持用凸部は、前記六角形の角部を埋めるように形成されるとともに、前記嵌合部の周方向における中央が弧状に窪んだ凹形状をなして、ロックボルト又はロックナットの六角部の側辺を挟持することを特徴とするボルト・ナットカバー。
【請求項２】
前記一対の側辺挟持用凸部は、前記中心軸を挟んで対向する方向の距離が、前記嵌合部の蓋部側に向かって徐々に近接するよう設けられている請求項１に記載のボルト・ナット。
【請求項３】
前記側辺挟持用凸部は、前記嵌合部の蓋部側の端部に徐々に低くなる傾斜部を有することを特徴とする請求項１、又は請求項２に記載のボルト・ナットカバー。
【請求項４】
ロックボルト又はロックナットの六角部に被嵌する有蓋筒状のボルト・ナットカバーであって、
蓋部と、
前記六角部に嵌合する筒状の嵌合部とを備え、
前記嵌合部は、内面に前記嵌合部の中心軸を挟んで対向する少なくとも一対の側辺挟持用凸部を有し、
前記一対の側辺挟持用凸部は、前記嵌合部の蓋部側の端部に徐々に低くなる傾斜部を有することを特徴とするボルト・ナットカバー。
【請求項５】
ロックボルト又はロックナットの六角部に被嵌する有蓋筒状のボルト・ナットカバーであって、
蓋部と、
前記六角部に嵌合する筒状の嵌合部とを備え、
前記嵌合部は、内面に前記嵌合部の中心軸を挟んで対向する少なくとも一対の側辺挟持用凸部を有し、前記一対の側辺挟持用凸部は、ロックボルト又はロックナットの六角部の側辺を挟持するよう構成され、
前記嵌合部は、内面に前記中心軸を挟んで対向するよう設けられ、前記六角部の側面を挟持する少なくとも一対の側面挟持用凸部を有することを特徴とするボルト・ナットカバー。
【請求項６】
前記一対の側辺挟持用凸部は、前記中心軸を挟んで対向する方向の距離が、前記嵌合部の蓋部側に向かって徐々に近接するよう設けられている請求項５に記載のボルト・ナットカバー。
【請求項７】
前記側面挟持用凸部は、前記中心軸を挟んで対向する方向の距離が、前記嵌合部の蓋部側に向かって徐々に近接するよう設けられている請求項５、又は請求項６に記載のボルト・ナットカバー。
【請求項８】
前記中心軸を挟んで対向する方向において、前記一対の側辺挟持用凸部の入り口側端部における距離をＤ１、蓋部側端部における距離をＤ２、前記一対の側面挟持用凸部の嵌合部入口側端部における距離をＤ３、蓋部側端部における距離をＤ４とすると、
距離Ｄ１が２１．４±０．５ｍｍの範囲に、距離Ｄ２が２０．８±０．５ｍｍの範囲に、距離Ｄ３が１８．５±０．５ｍｍの範囲に、かつ距離Ｄ４が、１８．０±０．５ｍｍの範囲に設けられている請求項７に記載のボルト・ナットカバー。
【請求項９】
前記中心軸を挟んで対向する方向において、前記一対の側辺挟持用凸部の入り口側端部における距離をＤ１、蓋部側端部における距離をＤ２、前記一対の側面挟持用凸部の嵌合部入口側端部における距離をＤ３、蓋部側端部における距離をＤ４とすると、距離Ｄ１が１９．１±０．５ｍｍの範囲に、距離Ｄ２が１８．５±０．５ｍｍの範囲に、距離Ｄ３が１６．５±０．５ｍｍの範囲に、かつ距離Ｄ４が、１６．０±０．５ｍｍの範囲に設けられている請求項７に記載のボルト・ナットカバー。
【発明の詳細な説明】
【技術分野】
【０００１】
この発明は、自動車のタイヤやホイールの盗難防止に用いるいわゆるロックボルトやロックナットに被嵌するボルト・ナットカバーに関する。
【背景技術】
【０００２】
従来、自動車のホイールに対する犯罪抑止に用いられるロックボルトやロックナットには、錆や傷の抑止、若しくは装飾のために、ボルト・ナットカバーが用いられている。かかるボルト・ナットカバーは、ロックボルトやロックナットから脱落しないよう、内面に凸条（特許文献１参照）や、板バネ（特許文献２参照）、磁石（特許文献３参照）等が設けられている。
【０００３】
ところが、ロックボルトやロックナットは専用工具以外での回動を防止するため、レンチやスパナで挟持する六角部の形状が多様な異形状に形成されており、特許文献１のような凸条を有するタイプのカバーでは、ロックボルトやロックナットの形状に合わせて、凸条の高さの異なるものを一々用意する必要があるため、射出成型用の金型代がかさむという問題がある。
【０００４】
また、特許文献２や特許文献３のような板バネや磁石で固定するものでは、いろいろな形状のロックボルトやロックナットに用いることが可能であるが、製造コストが嵩むという問題がある。
【先行技術文献】
【特許文献】
【０００５】
【特許文献１】公開実用昭和６１−２６６０３号公報
【特許文献２】特開平６−１７９３０１号公報
【特許文献３】特開２０１０−４７０６１号公報
【発明の概要】
【発明が解決しようとする課題】
【０００６】
本発明は、上記課題に鑑みてなされたものであり、六角部が多様に異なるロックボルトやロックナットに用いることができ、かつ製造コストを抑制可能なボルト・ナットカバーの提供を目的とする。
【課題を解決するための手段】
【０００７】
本発明者は、上記課題を解決するために鋭意検討した結果、ロックボルトやロックナットがレンチ等による回動を不能とするため六角部に施す形状変更は、図１４に示すように主に角部の面取りと、側面を窪ませることとの２点によって行われ、かつ、面取りにより角部が削られる寸法は、ロックボルトやロックナットのメーカーが変わってもほとんど変わらない一方で、側面の窪みは、やや湾凹している程度のものから六角部全体が花柄に見えるほど凹んでいるものまで様々であることを見出した。このことから、本発明者は、六角部の側辺（側面の交差する辺）を挟持することで、より多くの種類のロックボルトやロックナットに兼用できることを見出し、本発明に想到したものである。
【０００８】
即ち、上記課題を解決するためになされた発明は、ロックボルト又はロックナットの六角部に被嵌する有蓋筒状のボルト・ナットカバーであって、蓋部と、前記六角部に嵌合する筒状の嵌合部とを備え、前記嵌合部は、内面に前記嵌合部の中心軸を挟んで対向する少なくとも一対の側辺挟持用凸部を有し、前記嵌合部の内面は、前記中心軸に垂直な断面が六角形をなし、前記一対の側辺挟持用凸部は、前記六角形の角部を埋めるように形成されるとともに、前記嵌合部の周方向における中央が弧状に窪んだ凹形状をなして、ロックボルト又はロックナットの六角部の側辺を挟持することを特徴とする。
【０００９】
このように、本発明のボルト・ナットカバーは、側辺挟持用凸部で、ロックボルトやロックナットの六角部の側辺を挟持するよう構成したので、側面の凹み具合が多様に異なる種々のロックボルトやロックナットに兼用できる。
また、前記嵌合部の内面が、前記中心軸に垂直な断面が六角形をなし、前記側辺挟持用凸部が
前記六角形の角部に形成されていることで、容易にかつ正確に側辺挟持用凸部を六角部の角部（側辺）の位置に合わせることができる。
【００１０】
また、前記側辺挟持用凸部が、前記嵌合部の周方向における中央が弧状に窪んだ凹形状をなすことで、六角部の角部が、側辺挟持用凸部上に収まり易くでき、かつ側辺挟持用凸部から脱落することを抑制できる。
【００１１】
前記一対の側辺挟持用凸部は、前記中心軸を挟んで対向する方向の距離が、前記嵌合部
の蓋部側に向かって徐々に近接するよう設けられている好ましい。こうすることで、六角
部の角部が大きく面取りされている場合であっても、六角部を嵌合部の奥の方に挿入する
ことで、その角部を角部挟持用凹部で挟持することができる。
【００１２】
前記側辺挟持用凸部は、前記嵌合部の蓋部側の端部に徐々に低くなる傾斜部を有することが好ましい。こうすることで、嵌合部の奥まで側辺挟持用凸部の高さを同じとする場合に比べ、嵌合部の剛性を抑制して嵌合部を変形させて広げることができるため、より多様な形状のロックボルトやロックナットに被嵌することができる。
【００１３】
本発明は、ロックボルト又はロックナットの六角部に被嵌する有蓋筒状のボルト・ナットカバーであって、蓋部と、前記六角部に嵌合する筒状の嵌合部とを備え、前記嵌合部は、内面に前記嵌合部の中心軸を挟んで対向する少なくとも一対の側辺挟持用凸部を有し、前記一対の側辺挟持用凸部は、前記嵌合部の蓋部側の端部に徐々に低くなる傾斜部を有することを特徴とするボルト・ナットカバーを含む。
【００１４】
本発明は、ロックボルト又はロックナットの六角部に被嵌する有蓋筒状のボルト・ナットカバーであって、蓋部と、前記六角部に嵌合する筒状の嵌合部とを備え、前記嵌合部は、内面に前記嵌合部の中心軸を挟んで対向する少なくとも一対の側辺挟持用凸部を有し、前記一対の側辺挟持用凸部は、ロックボルト又はロックナットの六角部の側辺を挟持するよう構成され、前記嵌合部は、内面に前記中心軸を挟んで対向するよう設けられ、前記六角部の側面を挟持する少なくとも一対の側面挟持用凸部を有することを特徴とするボルト・ナットカバーを含む。このように、前記嵌合部が、内面に前記中心軸を挟んで対向するよう設けられ、前記六角部の側面を挟持する少なくとも一対の側面挟持用凸部を有することにより、角部が大きく面取りされて側辺挟持用凸部で六角部の側辺を挟持できない場合であっても、側面の凹み具合によっては、側面挟持用凸部で六角部の側面を挟持することにより、当該ボルト・ナットカバーを六角部に嵌合させることができる。
【００１５】
前記側面挟持用凸部は、前記中心軸を挟んで対向する方向の距離が、前記嵌合部の蓋部側に向かって徐々に近接するよう設けられていることが好ましい。こうすることで、六角部の側面が大きく窪んでいる場合であっても、六角部を嵌合部の奥の方に挿入することでその側面を側面挟持用凸部で挟持することができる。
【００１６】
前記中心軸を挟んで対向する方向において、前記一対の側辺挟持用凸部の入り口側端部における距離をＤ１、蓋部側端部における距離をＤ２、前記一対の側面挟持用凸部の嵌合部入口側端部における距離をＤ３、蓋部側端部における距離をＤ４とすると、距離Ｄ１が２１．４±０．５ｍｍの範囲に、距離Ｄ２が２０．８±０．５ｍｍの範囲に、距離Ｄ３が１８．５±０．５ｍｍの範囲に、かつ距離Ｄ４が、１８．０±０．５ｍｍの範囲に設けられていることが好ましい。六角部の形状が２面幅１９ｍｍの正六角形をベースとするロックボルトやロックナットにおいては、ボルト・ナットカバーの側辺挟持用凸部及び側面挟持用凸部に係るＤ１乃至Ｄ４の距離をこの数値範囲に設けることで、より多くのタイプロックボルトやロックナットに加え、ロック用でないホイールボルトやホイールナットにも当該ボルト・ナットカバーを被嵌することができる。
【００１７】
また、距離Ｄ１が１９．１±０．５ｍｍの範囲に、距離Ｄ２が１８．５±０．５ｍｍの範囲に、距離Ｄ３が１６．５±０．５ｍｍの範囲に、かつ距離Ｄ４が、１６．０±０．５ｍｍの範囲に設けられていてもよい。六角部の形状が２面幅１７ｍｍの正六角形をベースとするロックボルトやロックナットにおいては、ボルト・ナットカバーの側辺挟持用凸部及び側面挟持用凸部に係るＤ１乃至Ｄ４の距離を、この数値範囲に設けることで、より多くのタイプのロックボルトやロックナットに加え、ロック用でないホイールボルトやホイールナットにも当該ボルト・ナットカバーを被嵌することができる。
【００１８】
尚、ここで、「六角部」とは、ボルトやナットにおいてスパナやレンチで回動操作する部分をいい、六角形でないものも含むものとする。また、距離Ｄ１乃至距離Ｄ４は、側辺挟持用凸部や側面挟持用凸部の端部に傾斜部が設けられる場合は、その傾斜部を除いた部分の入り口側端部又は蓋部側端部における距離をいうものとする。
【発明の効果】
【００１９】
以上説明したように、本発明のボルト・ナットカバーによれば、多様な形状を有する種々のロックボルトやロックナットに使用することができる。
【図面の簡単な説明】
【００２０】
【図１】本発明の第１実施形態に係るボルト・ナットカバーの正面図である。
【図２】図１のボルト・ナットカバーの右側面図である。
【図３】図１のボルト・ナットカバーの平面図である。
【図４】図１のボルト・ナットカバーの底面図である。
【図５】図３におけるＩ−Ｉ線断面図である。
【図６】図３におけるII−II線断面図である。
【図７】本発明の第２実施形態に係るボルト・ナットカバーの正面図である。
【図８】図７のボルト・ナットカバーの右側面図である。
【図９】図７のボルト・ナットカバーの平面図である。
【図１０】図７のボルト・ナットカバーの底面図である。
【図１１】図９におけるIII−III線断面図である。
【図１２】図９におけるIV−IV線断面図である。
【図１３】本発明の第３実施形態に係るボルト・ナットカバーの（ａ）平面図（ｂ）底面図、（ｃ）（ａ）におけるＶ−Ｖ線断面図である。
【図１４】図１のボルト・ナットカバーの使用状態を示す断面図である。
【図１５】図１のボルト・ナットカバーの使用状態を示す側面視部分断面図である。
【発明を実施するための形態】
【００２１】
以下、適宜図面を用いながら本発明の実施形態について詳述する。ただし、本発明は、以下の実施形態に限定されるものではない。
（第１実施形態）
図１乃至図６は、本発明の第１実施形態に係るボルト・ナットカバー１００を示している。ボルト・ナットカバー１００は、ポリエチレン等の樹脂により有蓋筒状に一体成型され、蓋部１と、ロックボルトやロックナットの六角部に嵌合する筒状の嵌合部２と、嵌合部２の内面に設けられ、六角部の側辺を挟持する側辺挟持用凸部３と、六角部の側面を挟持する側面挟持用凸部４とを備えている。
【００２２】
蓋部１は、図３に示すように、平面視で正六角形に形成され、意匠性を高めるために中央に円形の凹部１ａが設けられている。
【００２３】
嵌合部２は、蓋部１の周縁に連続して設けられ、図３、図４に示すように、６つの側壁２１を備えた六角筒状に形成されている。本実施形態では、側壁２１の厚みは約１ｍｍに形成されている。側壁２１は、嵌合部２の入り口側から蓋側へ向かって内向きに傾斜している。
【００２４】
側辺挟持用凸部３は、図４に示すように、嵌合部２の内側の６つの角部を埋めるように形成され、底面視における幅方向の中央が、円弧上に窪んだ凹形状に形成されている。また、側辺挟持用凸部３の嵌合部入り口側の端部には、嵌合部の入り口に向かって低くなる傾斜部３１が形成されている。
【００２５】
嵌合部２の中心軸を挟んで対向する一対の側辺挟持用凸部３，３における凹形状の底間の距離は、一対の側辺挟持用凸部３，３の入り口側端部における距離をＤ１、蓋部側端部における距離をＤ２とすると、対向する一対の側辺挟持用凸部３，３の底間の距離は、入り口側から蓋部側に向かって距離Ｄ１からＤ２に変化し、Ｄ１＞Ｄ２となるよう設けられているため、六角部の対角幅Ｗ１がＤ２以上Ｄ１以下のボルトやナットの六角部を側辺挟持用凸部３で挟持することができる。
具体的には、六角部２面幅１９ｍｍ用の場合で、嵌合部２の入り口側の距離Ｄ１が２１．４±０．５ｍｍ、蓋部１側の距離Ｄ２が２０．８±０．５ｍｍに設けられており、六角部２面幅１７ｍｍ用の場合で、Ｄ１が１９．１±０．５ｍｍ、Ｄ２が１８．５±０．５ｍｍに設けられている。本実施形態では、嵌合部の２面幅及び対角長が弾性変形により最大で１ｍｍ程度大きくなるため、Ｄ１及びＤ２の寸法を、このような数値範囲とすることで、より多くのロックボルトやロックナットに加え、嵌合部２の弾性変形を利用して角部が面取りされないホイールナットやホイールボルトにもナットボルト・ナットカバー１００を被嵌させることができる。
【００２６】
側面挟持用凸部４は、側壁２１内面の幅方向の中央に側壁２１の母線方向に沿って延びるよう設けられた凸条からなり、６つの側面２１に１つずつ計６本が設けられている。嵌合部２の中心軸を挟んで対向する方向において、一対の側面挟持用凸部４，４の嵌合部入口側端部における距離をＤ３、蓋部側端部における距離をＤ４とすると、対向する一対の側面挟持用凸部４，４間の距離が入り口側から蓋部側に向かって距離Ｄ３から距離Ｄ４に変化し、Ｄ３＞Ｄ４となるよう設けられているため、六角部の２面幅Ｗ２がＤ４以上Ｄ３以下のボルトやナットの六角部を側辺挟持用凸部４で挟持することができる。
具体的には、六角部２面幅１９ｍｍ用の場合で、嵌合部２の入り口側の距離Ｄ３が１８．５±０．５ｍｍ、蓋部１側の距離Ｄ４が１８．０±０．５ｍｍに設けられており、六角部２面幅１７ｍｍ用の場合で、Ｄ３が１６．５±０．５ｍｍ、Ｄ４が１６．０±０．５ｍｍ以下に設けられている。Ｄ３及びＤ４の寸法を、このような数値範囲とすることで、より多くのロックボルトやロックナットにボルト・ナットカバー１００を被嵌させることができる。
【００２７】
次に、ボルト・ナットカバー１００の効果を具体的に説明する。図１４（ａ）は、六角部の角部が少しＲに面取りされ、対角間の幅Ｗ１がＤ２以上Ｄ１以下で、側面がやや内側に湾曲するよう形成され、ボルトの中心軸を挟んで対向する側面の窪みの底間の幅Ｗ２がＤ４以上Ｄ３以下のロックボルトＡに、ボルト・ナットカバー１００を被嵌した状態を示している。この場合、ボルトＡの六角部の側辺Ａ１を側辺挟持用凸部３が押圧支持し、六角部の側面Ａ２を側面挟持用凸部４が押圧支持し、ロックボルトＡの六角部は、周方向の１２か所でボルト・ナットカバー１００に挟持されている。
【００２８】
図１４（ｂ）は、六角部の角部がロックボルトＡと同程度にＲに面取りされ、対角間の幅Ｗ１がＤ２以上Ｄ１以下で、ボルトの中心軸を挟んで対向する側面の窪みの底Ｂ２間の幅Ｗ２がＤ４未満の花柄状のロックボルトＢに、ボルト・ナットカバー１００を被嵌した状態を示している。この場合、ロックボルトＢは、六角部外周の側辺Ｂ１に当接する６つの側辺挟持用凸部３によってのみ挟持され、側面挟持用凸部４は、ロックボルトＢの回動防止やボルト・ナットカバー１００を被嵌する際の案内を行う。
【００２９】
図１４（ｃ）は、六角部の角部がロックボルトＡやＢより大きくＲに面取りされて六角部の対角幅Ｗ１がＤ２未満で、側面の窪みがロックボルトＡと同程度でボルトの中心軸を挟んで対向する側面の窪みの底Ｃ２間の幅Ｗ２がＤ４以上Ｄ３以下のロックボルトＣに、ボルト・ナットカバー１００を被嵌した状態を示している。この場合、ロックボルトＣは六角部の側面の窪みの底Ｃ２に当接する６つの側面挟持用凹部４によってのみ挟持され、側辺挟持用凸部３は、ボルトＣの六角部の側辺Ｃ１には当接しない。
【００３０】
ボルト・ナットカバー１００は、一対の対向する側辺挟持用凸部３，３、及び側面挟持用凸部４，４が、蓋部側に向かって互いの距離が近接するよう設けられるため、六角部の対角幅Ｗ１又はＷ２の寸法が比較的大きいロックボルトＤの場合には、図１５（ａ）に示すように嵌合部２の入り口付近に六角部を嵌合し、Ｗ１及びＷ２が比較的小さいロックボルトＥの場合には、図１５（ｂ）に示すように、嵌合部２の奥の方で六角部を嵌合する。図１５（ｂ）の例では、ロックボルトＥのフランジ部が邪魔になるため嵌合部２の入り口側を切断している。
また、ボルト六角部がボルト・ナットカバー１００内に完全に収容される前に、六角部の角部又は側面が、側辺挟持用凸部３又は側面挟持用凸部４に当接した場合であっても、ボルト・ナットカバー１００は、ポリエチレン等適宜に可撓性を有する樹脂により形成されているため、嵌合部２を押し広げることで、ボルトの六角部全体を嵌合部へ収容することができる。
【００３１】
（第２実施形態）
図７乃至図１２は、本発明の第２実施形態にかかるボルト・ナットカバー２００を示している。ボルト・ナットカバー２００は、有蓋筒状をなし、蓋部２０１と、蓋部２０１に連続する六角筒状部２０５と、六角筒状部２０５より入り口側（図７の下側）に設けられる嵌合部２０２とを備え、六角筒状部２０５と、嵌合部２０２の間には段差部２０６が設けられている。嵌合部２０２の内面には、図１０乃至１２に示すように、側辺挟持用凸部２０３と、側面挟持用凸部２０４が設けられている。
【００３２】
蓋部２０１は、第１実施形態同様中央に意匠性を高めるための円形の凹部２０１ａが設けられ、六角筒状部２０５と合わせてナットを模した形状に形成されている。
六角筒状部２０５は、嵌合部２０２から切り離すことで、嵌合部２０２が嵌合するボルトナットより小サイズのボルトナットのカバーとして利用できるよう、内面に当該小サイズのボルトナットの六角部の側面を挟持するための側面挟持用凸部２０７が設けられている。
【００３３】
嵌合部２０２は、円筒状をなし、蓋部２０１側（図７における上側）に向かって徐々に縮径するよう設けられている。
【００３４】
側面挟持用凸部２０４は、嵌合部２０２の内面から突出し嵌合部２０２の母線方向に延びる凸条に形成され、嵌合部２０２の周方向に等角度間隔で６本が配設されている。側面挟持用凸部２０４の稜線は、嵌合部２０２の傾斜に沿って傾斜しており、嵌合部の中心軸を挟んで対向する一対の側面挟持用凸部２０４間の当該対向方向の距離は、嵌合部２０２の蓋部側ほど短くなる。対向する一対の側面挟持用凸部２０４の嵌合部２０２の入り口側端部間の距離Ｄ３、及び蓋部２０１側の端部間の距離Ｄ４は、第１実施形態と同様に設けられている。
【００３５】
側辺挟持用凸部２０３は、側面挟持用凸部２０４の間を埋めるように設けられ、図１０に示すように、底面視で略円弧状をなす凹形状となるよう設けられており、嵌合部２０２の入り口側の端部に入り口側に向かって低くなる傾斜部２３１を備えている。対向する一対の側辺挟持用凸部２０３は、凹形状の底間の入り口側端部における距離Ｄ１及び蓋部側端部の距離Ｄ２が第１実施形態と同様に設けられている。
【００３６】
（第３実施形態）
図１３は、本発明の第３実施形態に係るボルト・ナットカバー３００を示している。ボルト・ナットカバー３００は、第１実施形態同様、六角筒状をなす嵌合部２の内面の角部に側辺挟持用凸部３０３を備えている。側辺挟持用凸部３０３は、入り口側の端部に入り口側に向かって徐々に低くなる傾斜部３３１と、蓋部側の端部に蓋部側に向かって徐々に低くなる傾斜部３３２を有している。このように、側辺挟持用凸部３０３が入り口側に傾斜部３３１を有することにより、やや対角幅Ｗ１の大きい六角部を嵌合部の可撓性を利用して、嵌合部２押し広げながら六角部に嵌合させることができる。
尚、ボルト・ナットカバー３００は、入り口周辺にリブ３２２を設けている。
【００３７】
本発明は、上記の実施形態に限らず、例えば、円筒状の嵌合部を有する場合にも、側面挟持用凸部を備えなくともよい。また、側辺挟持用凸部及び側面挟持用凸部は、対向する一対を含めば、３個以上５個以下であってもよい。嵌合部は蓋部側に向かって縮径するよう設けられていなくともよい。
【符号の説明】
【００３８】
１００，２００，３００  ボルト・ナットカバー
１，２０１  蓋部
２，２０２  嵌合部
３，２０３，３０３  側辺挟持用凸部
３１，３３１  傾斜部（入り口側）
３３２  傾斜部（蓋部側）
４，２０４  側面挟持用凸部
【図１】
0006415203.tif 000002
【図２】
0006415203.tif 000003
【図３】
0006415203.tif 000004
【図４】
0006415203.tif 000005
【図５】
0006415203.tif 000006
【図６】
0006415203.tif 000007
【図７】
0006415203.tif 000008
【図８】
0006415203.tif 000009
【図９】
0006415203.tif 000010
【図１０】
0006415203.tif 000011
【図１１】
0006415203.tif 000012
【図１２】
0006415203.tif 000013
【図１３】
0006415203.tif 000014
【図１４】
0006415203.tif 000015
【図１５】
0006415203.tif 000016